(57)【要約】【課題】分離ローラの摩耗状態を容易に把握することができ、また、分離ローラが摩耗して媒体の分離・搬送が困難になってしまった場合にも、低コストで迅速に対応することが可能な搬送機構及びそれを備えた記録装置を提供する。【解決手段】複数のシート状の媒体である用紙が集積状態で収容される手差し給紙部１０と、この手差し給紙部１０から搬送方向に回転駆動されて用紙を送り出す搬送ローラ５２と、搬送方向の回転が規制されて搬送ローラ５２によって重送される用紙を分離する分離ローラ５３とを備えた用紙繰り出し搬送機構５０であって、分離ローラ５３を着脱可能に支持するローラ支持部材６１と、ローラ支持部材６１の変位に基づいて分離ローラ５３の摩耗状態を表示する摩耗状態表示部７１とを備えている。【選択図】図２
2009126587.tif 000002
【特許請求の範囲】
【請求項１】
複数のシート状の媒体が集積状態で収容される収容部と、この収容部から搬送方向に回転駆動されて前記媒体を送り出す搬送ローラと、搬送方向の回転が規制されて前記搬送ローラによって重送される前記媒体を分離する分離ローラとを備えた搬送機構であって、
前記分離ローラを着脱可能に支持するローラ支持部と、前記ローラ支持部の変位に基づいて前記分離ローラの摩耗状態を表示する表示手段とを備えたことを特徴とする搬送機構。
【請求項２】
前記ローラ支持部は、前記分離ローラを前記搬送ローラに対して接離可能に支持するとともに付勢手段で付勢されて前記分離ローラを前記搬送ローラに当接させており、前記表示手段は、前記ローラ支持部の変位を表示することを特徴とする請求項１に記載の搬送機構。
【請求項３】
前記ローラ支持部は、回動軸を中心に回動することで前記分離ローラを前記搬送ローラに対して接離可能とし、且つ前記分離ローラと前記回動軸との距離よりも前記分離ローラと前記回動軸とは反対側の端部との距離の方が長く設定され、前記表示手段は、前記ローラ支持部における前記端部の変位を表示することを特徴とする請求項２に記載の搬送機構。
【請求項４】
前記ローラ支持部には、前記分離ローラの支持軸の一端部を嵌合させる穴部と、前記支持軸の他端部を内側に保持する保持壁部とが設けられ、前記保持壁部には外側ほど低くなる傾斜面が形成されていることを特徴とする請求項１から３のいずれか一項に記載の搬送機構。
【請求項５】
請求項１から４のいずれか一項に記載の搬送機構によって１枚ずつ搬送される前記媒体に記録部によって記録処理を行うことを特徴とする記録装置。
【発明の詳細な説明】
【技術分野】
【０００１】
本発明は、集積状態で収容された複数のシート状の媒体を分離して搬送する搬送機構及びそれを備えた記録装置に関するものである。
【背景技術】
【０００２】
上記搬送機構の一例として、パソコン等に接続されるプリンタ（記録装置）の搬送系を構成する搬送機構が挙げられる。このような搬送機構の中には、集積状態で収容された複数のシート状の媒体である用紙に対して、軸直交断面がＤ字状に形成された搬送ローラを回転させることによって用紙を分離して搬送するものがある（例えば、特許文献１参照）。
【特許文献１】特開平１０−１７１８１号公報
【発明の開示】
【発明が解決しようとする課題】
【０００３】
ところで、搬送方向に回転駆動される搬送ローラと搬送方向の回転が規制される分離ローラとを用いることで、収容部に集積状態で収容された媒体を一枚ずつに分離して搬送する搬送機構がある。
この搬送機構では、分離ローラはその回転が規制されており、媒体に対して擦れることになるため、摩耗し易い。
しかしながら、分離ローラが摩耗して媒体の分離・搬送が困難になってしまった場合、プリンタが使用不能となり、プリンタを修理に出さなければならず、多大な不都合を生じるとともにコストがかかってしまうという問題があった。
また、分離ローラの摩耗量を把握することができず、このため、修理に出すタイミングが分離ローラの摩耗による不具合が生じた後となってしまう。つまり、不具合の発生を未然に防ぐことができなかった。
【０００４】
本発明は、上記事情に鑑みてなされたもので、分離ローラの摩耗状態を容易に把握することができ、また、分離ローラが摩耗して媒体の分離・搬送が困難になってしまった場合にも、低コストで迅速に対応することが可能な搬送機構及びそれを備えた記録装置の提供を目的とする。
【課題を解決するための手段】
【０００５】
上記目的を達成するために、本発明の搬送機構は、複数のシート状の媒体が集積状態で収容される収容部と、この収容部から搬送方向に回転駆動されて前記媒体を送り出す搬送ローラと、搬送方向の回転が規制されて前記搬送ローラによって重送される前記媒体を分離する分離ローラとを備えた搬送機構であって、前記分離ローラを着脱可能に支持するローラ支持部と、前記ローラ支持部の変位に基づいて前記分離ローラの摩耗状態を表示する表示手段とを備えたことを特徴とする。
【０００６】
この構成の搬送機構によれば、分離ローラがローラ支持部に対して着脱可能とされているため、摩耗時に分離ローラを容易に交換することができる。よって、分離ローラが摩耗して媒体の分離・搬送が困難になってしまった場合にも、低コストで迅速に対応することができる。また、分離ローラの摩耗状態を表示する表示手段が設けられているため、交換時期を容易に把握することができ、分離ローラの摩耗による不具合を未然に防ぐことができる。
【０００７】
また、この搬送機構は、前記ローラ支持部が、前記分離ローラを前記搬送ローラに対して接離可能に支持するとともに付勢手段で付勢されて前記分離ローラを前記搬送ローラに当接させており、前記表示手段は、前記ローラ支持部の変位を表示することが好ましい。
【０００８】
この構成の搬送機構によれば、表示手段がローラ支持部の変位を表示するため、極めて容易に分離ローラの摩耗状態を把握することができる。
【０００９】
また、この搬送機構は、前記ローラ支持部が、回動軸を中心に回動することで前記分離ローラを前記搬送ローラに対して接離可能とし、且つ前記分離ローラと前記回動軸との距離よりも前記分離ローラと前記回動軸とは反対側の端部との距離の方が長く設定され、前記表示手段が、前記ローラ支持部における前記端部の変位を表示することが好ましい。
【００１０】
この構成の搬送機構によれば、分離ローラと回動軸との距離よりも分離ローラと回動軸とは反対側の端部との距離の方が長く設定されたローラ支持部の前記端部の変位を表示するため、分離ローラの移動量を増幅した位置の表示が可能となる。よって、分離ローラの小さい摩耗状態を精度良く表示可能となる。
【００１１】
また、この搬送機構は、前記ローラ支持部には、前記分離ローラの支持軸の一端部を嵌合させる穴部と、前記支持軸の他端部を内側に保持する保持壁部とが設けられ、前記保持壁部には外側ほど低くなる傾斜面が形成されていることが好ましい。
【００１２】
この構成の搬送機構によれば、分離ローラの支持軸の一端部を、ローラ支持部の穴部に嵌合させてから、支持軸の他端部を保持壁部の傾斜面を乗り越えさせれば、支持軸をローラ支持部に保持できる。よって、容易且つ確実に分離ローラをローラ支持部に取り付けることができる。
【００１３】
また、本発明の記録装置は、上記の搬送機構によって１枚ずつ搬送される前記媒体に記録部によって記録処理を行うことを特徴とする。
【００１４】
この構成の記録装置によれば、分離ローラの摩耗による不具合による記録処理への障害を極力抑えることができる。
【発明を実施するための最良の形態】
【００１５】
以下、本発明に係る一実施形態の搬送機構及びそれを備えた記録装置について図面を参照しつつ詳細に説明する。
図１〜図７は本発明に係る一実施形態の搬送機構によって搬送系が構成された記録装置を示すものであり、図１は記録装置の前面側斜め上方から見た斜視図、図２は記録装置の後部構造を示す部分側断面図、図３は記録装置の要部を示すもので、（ａ）は分離ローラが新品の状態を、（ｂ）は分離ローラが摩耗した状態を示す側面図、図４は記録装置の摩耗状態表示部を示す正面図、図５は記録装置の分離ローラの分解斜視図、図６は記録装置のローラ支持部材及び分離ローラの分解斜視図、図７は記録装置のカバーから分離ローラを取り外した状態を示す斜視図である。
【００１６】
記録装置１は、手差し給紙及びリヤ給紙可能なフロント給・排紙タイプの業務用プリンタであり、図１に示すように、下部ケース３と上部ケース５とから構成される装置ケース７の前面中央に、シート状の媒体である用紙が複数枚集積状態で収容される略箱形の用紙カセット９が着脱自在に装着されている。また、この記録装置１は、装置ケース７の後方側における上部に、用紙を複数枚集積状態で手差し可能な手差し給紙部（収容部）１０を備えており、この手差し給紙部１０によって後部上方側からの手差しによる給紙が可能とされている。また、用紙カセット９の上面開放部を覆うように、印刷（記録処理）が終了した用紙を受け取る排紙トレイ１１が装備されている。なお、装置ケース７の前面の両側には、動作状態を表示する表示部１３や、内側にインクカートリッジを収容するカートリッジ収容部１４が設けられている。
【００１７】
装置ケース７内には、図２に示すように、用紙カセット９に上下方向に集積状態で収容された複数の用紙を一枚ずつに分離して装置後方に繰り出す用紙繰り出し機構２１と、この用紙繰り出し機構２１が繰り出した用紙を円弧状の分離搬送経路Ａに沿って搬送する円弧状搬送部２３と、この円弧状搬送部２３から搬送されてきた用紙を直線状の処理搬送経路Ｂに沿って記録部２９による処理位置に搬送する紙送りローラ対２５，２６と、この紙送りローラ対２５，２６の下流側の処理搬送経路Ｂにおいて用紙上に文字や図形等を印刷する記録部２９と、記録部２９によって印刷が済んだ用紙を処理搬送経路Ｂに沿って装置前方の排紙トレイ１１に排出する排出搬送機構３１等が組み込まれている。なお、紙送りローラ対２５，２６は、一方が駆動ローラ２５であり、他方が補助ローラ２６である。
【００１８】
用紙繰り出し機構２１は、先端に繰り出し用のピックアップローラ３３を備えたフレーム３４の後端が支持ピン３５によって図中上下方向に回動可能に構成されている。この用紙繰り出し機構２１は、フレーム３４の上下方向の揺動により、用紙カセット９内の最上部の用紙に対してピックアップローラ３３を接触させる。用紙繰り出し機構２１は、記録装置１の休止時にはフレーム３４が水平に維持されて、ピックアップローラ３３が用紙カセット９上の用紙から離れた状態に保たれる。
【００１９】
そして、記録装置１の給紙時には、支持ピン３５を中心とするフレーム３４の下方への回動によって、ピックアップローラ３３が用紙カセット９上の用紙に押し付けられ、ピックアップローラ３３の回転によって用紙カセット９上の用紙が傾斜した分離パッド３６に当接して、その摩擦力と用紙のこしの強さによって分離され、さらに搬送ローラ３９及び分離ローラ２２で確実に一枚ずつに分離されて円弧状搬送部２３側に繰り出される。給紙が済んで、記録部２９によって印刷が開始される時には、フレーム３４は元の水平状態に戻される。
【００２０】
円弧状搬送部２３は、分離搬送経路Ａの外側（記録装置１の背面側）に設けられ略円弧状に湾曲したガイド面３７を有するガイド部３８と、分離搬送経路Ａの内側（記録装置１の前面側）に設けられガイド面３７の下方から上方に向かって用紙を送る搬送ローラ３９とを備えた構成である。また、ガイド部３８は、下方側に設けられた分離ローラ２２と、上方側に設けられたアシストローラ２４を有している。
【００２１】
そして、ピックアップローラ３３によって送り出された用紙は、搬送ローラ３９と分離ローラ２２との協働によって一枚ずつに分離され、これら搬送ローラ３９と分離ローラ２２とで挟持されて搬送され、さらにガイド部３８と搬送ローラ３９とで案内され、搬送ローラ３９とアシストローラ２４とによって挟持されて搬送される。これにより、用紙カセット９内に集積状態で収容された用紙は、円弧状の分離搬送経路Ａで一枚ずつに分離されて搬送され、その先端部が装置前面側へ向けられて用紙カセット９の上側の直線状の処理搬送経路Ｂへ送り出される。
【００２２】
処理搬送経路Ｂに設けられた紙送りローラ対２５，２６は、分離搬送経路Ａの出口端から装置前面側に所定距離離れた位置に設けられており、円弧状搬送部２３から送り出されてきた用紙を挟持して処理位置である記録部２９の下に搬送する。つまり、上記のように分離搬送経路Ａから一枚ずつ分離状態で搬送されてきた用紙を、処理搬送経路Ｂは記録部２９に搬送し、記録部２９で印刷して、前方のスタッカ１１に排紙する。
【００２３】
また、この記録装置１は、装置後部の円弧状搬送部２３の上方側に、前述の手差し給紙部１０を備えている。この手差し給紙部１０は、複数枚の用紙が装置前後方向に集積状態で収容されるもので、手差し給紙部１０の下側には、手差し給紙部１０に集積状態で装填された複数枚の用紙から用紙を一枚ずつに分離して装置前方に前下がりに繰り出すとともに分離搬送経路Ｃに沿って装置前方に搬送する、本実施形態の搬送機構である用紙繰り出し搬送機構５０が設けられている。
【００２４】
用紙繰り出し搬送機構５０は、互いに協働して用紙を一枚ずつに分離し挟持して搬送する搬送ローラ５２及び分離ローラ５３を有しており、前述した分離搬送経路Ａとは別の分離搬送経路Ｃから、分離搬送経路Ａ，Ｃに共通の処理搬送経路Ｂに用紙を送り込む。
【００２５】
つまり、この記録装置１は、用紙カセット９から円弧状の分離搬送経路Ａによって用紙を一枚ずつに分離して処理搬送経路Ｂに搬送し、この処理搬送経路Ｂによって記録部２９に向けて搬送して記録部２９で印刷した後、排紙トレイ１１に排紙する。また、手差し給紙部１０から分離搬送経路Ｃによって一枚ずつに分離されて搬送される用紙を処理搬送経路Ｂによって記録部２９に向けて搬送し、記録部２９で印刷した後、排紙トレイ１１に排紙する。
【００２６】
用紙繰り出し搬送機構５０において、搬送ローラ５２は搬送方向に回転駆動される一方、分離ローラ５３は搬送方向の回転が規制され、これにより、手差し給紙部１０に集積状態で収容された用紙を分離して搬送する。つまり、搬送ローラ５２は集積された用紙のうちの最も近いものを搬送方向に繰り出すことになり、この用紙に引き摺られて繰り出されそうになる搬送ローラ５２とは反対側の用紙を停止状態の分離ローラ５３が止める。これにより、用紙が一枚ずつ分離されて搬送される。
【００２７】
分離ローラ５３は、合成樹脂製のローラ支持部材（ローラ支持部）６１に支持されている。このローラ支持部材６１は、手差し給紙部１０の背面側のカバー６０に、分離ローラ５３よりも用紙搬送方向の下流側に設けられた回動軸６２によって回動可能に支持されている。よって、ローラ支持部材６１は、この回動軸６２を中心に回動することで分離ローラ５３を搬送ローラ５２に対して接離可能に支持している。
【００２８】
また、ローラ支持部材６１は、分離ローラ５３の回動軸６２とは反対側に延出する延出部６３を有しており、分離ローラ５３と回動軸６２との距離よりも、分離ローラ５３とこの延出部６３の回動軸６２とは反対側の先端部（端部）６４との距離の方が長くなるように設定されている。そして、この延出部６３の先端部６４側には、スプリング（付勢手段）６５の一端が係止されており、このスプリング６５の付勢力でローラ支持部材６１は上方向に回動付勢され、分離ローラ５３を搬送ローラ５２に当接させている。
【００２９】
ここで、分離ローラ５３は、用紙の繰り出し搬送時にその回転が規制されることになるため、繰り出される用紙に対して常に擦れることになる。よって摩耗し易い。このため、図３（ａ）に示すように新品で摩耗のない状態から、図３（ｂ）に示すように摩耗が進行する。ここで、図３（ａ）に示すように、分離ローラ５３が新品の状態においてローラ支持部材６１の延出部６３の先端部６４は最も下側に位置しており、分離ローラ５３が摩耗すると図３（ｂ）に示すようにローラ支持部材６１の先端部６４は上昇する。なお、ローラ支持部材６１の上側には、ローラ支持部材６１の上方向への所定位置を超えての揺動を規制するストッパ６６が設けられている。
【００３０】
図４に示すように、このローラ支持部材６１の先端部６４の上下位置を記録装置１の外側から目視可能となる窓６８が、手差し給紙部１０のカバー６０に形成されている。窓６８の横には上下に目盛り７０が形成されており、ローラ支持部材６１の先端部６４と目盛り７０との位置関係で分離ローラ５３の摩耗状態が分かるようになっている。
【００３１】
つまり、ローラ支持部材６１の先端部６４と窓６８の目盛り７０とが、分離ローラ５３の摩耗状態を表示する摩耗状態表示部（表示手段）７１となっており、ユーザはこの摩耗状態表示部７１の表示から分離ローラ５３の交換時期を知ることができる。具体的に、分離ローラ５３が新品の状態にあるとき先端部６４と目盛り７０の最下の線部７０ａとの高さ位置が一致し、分離ローラ５３の摩耗が進行しローラ支持部材６１がストッパ６６に当接する手前の段階で先端部６４と目盛り７０の最上の線部７０ｂとの高さ位置が一致する。
【００３２】
分離ローラ５３は、図５に示すように、支持軸７５と、この支持軸７５が内側に挿入されるコイルスプリング７６と、コイルスプリング７６に挿入された支持軸７５がコイルスプリング７６とともに内側に挿入されるローラ本体７７とを有している。
【００３３】
支持軸７５は、円柱状をなしており、その一端部７９に、接線に沿って一部切り欠かれた切欠部８０が形成されている。これにより、支持軸７５の一端部７９は、軸直交断面がＤ字状をなしている。他方、支持軸７５の他端部８１は、切り欠かれておらず、軸直交断面が円形状をなしている。
コイルスプリング７６は若干の隙間を持って支持軸７５を挿入させており、一端部が半径方向外側に延出するように折り曲げられた係止部８２となっている。
【００３４】
ローラ本体７７は、略段付き円筒状の保持部８４と、この保持部８４の中間所定範囲に被覆形成されたエラストマーからなる略円筒状の高摩擦部８５とを有しており、保持部８４の一端部には切欠部８６が形成されている。コイルスプリング７６に挿入された支持軸７５をコイルスプリング７６とともにローラ本体７７の内側に挿入してコイルスプリング７６の係止部８２を切欠部８６に係止する。これにより、ローラ本体７７は、支持軸７５に対してコイルスプリング７６を締め付ける方向に回転しようとした場合、コイルスプリング７６を締め付けて支持軸７５に対する回転が規制され一体化することになる。また、ローラ本体７７は、逆方向に回転しようとした場合には、コイルスプリング７６を締め付けることがなく、支持軸７５に対する回転が可能になる。
【００３５】
図６に示すように、上記した分離ローラ５３は、交換可能とすべくローラ支持部材６１に対して着脱可能に支持されている。ローラ支持部材６１には、その回動軸６２側に分離ローラ５３を収容可能な凹部８８が形成されている。凹部８８のローラ軸方向両側を形成する一対の側板部８９，９０には、その一方の側板部８９に、分離ローラ５３の支持軸７５のＤ字状の一端部７９が嵌合可能な穴部９２が、他方の側板部９０に、分離ローラ５３の支持軸７５の他端部８１を内側に保持可能な複数の保持壁部９３，９４，９５が形成されている。
【００３６】
穴部９２は、分離ローラ５３の支持軸７５の一端部７９と同様に、円の一部を接線に沿って切り欠いた、軸直交断面がＤ字状の形状をなしており、分離ローラ５３の支持軸７５の一端部７９を回転不可に嵌合させる。
【００３７】
複数の保持壁部９３，９４，９５は、互いの間に分離ローラ５３の支持軸７５の図５に示す他端部８１を嵌合させるものであり、そのうちの一つの保持壁部９３は、他の保持壁部９４，９５よりも側板部９０からの突出高さが低くなっている。そして、この保持壁部９３の突出方向の先端部には、外側（ローラ半径方向外側）ほど低くなる傾斜面９６が形成されている。
【００３８】
よって、分離ローラ５３を交換する際には、記録装置１から、図７に示すように、カバー６０を取り外した状態で、カバー６０に支持された状態のローラ支持部材６１の側板部８９，９０を弾性変形させながら、分離ローラ５３の支持軸７５の他端部８１を高さの低い保持壁部９３側に移動させた後に一端部７９を穴部９２から抜くことで分離ローラ５３を取り外す。そして、新しい分離ローラ５３を、その支持軸７５のＤ字状の一端部７９をローラ支持部材６１の穴部９２に位相を合わせて先に嵌合させ、その後、他端部８１を、高さの低い保持壁部９３の傾斜面９６に乗り上げさせることで、側板部８９，９０を変形させながら移動させて、複数の保持壁部９３〜９５の内側に嵌合させる。
【００３９】
以上に述べた本実施形態の用紙繰り出し搬送機構５０によれば、分離ローラ５３がローラ支持部材６１に対して着脱可能とされているため、摩耗時に分離ローラ５３の交換が可能となる。よって、分離ローラ５３が摩耗して用紙の分離・搬送が困難になってしまった場合にも、低コストで対応可能となるとともに、記録装置１を耐久限界まで使用することができ、設備費の削減を図ることができる。
したがって、この搬送機構５０を備えた記録装置１によれば、分離ローラ５３の摩耗による不具合による印刷への障害を極力抑えることができる。
【００４０】
また、分離ローラ５３の摩耗状態を表示する摩耗状態表示部７１が設けられているため、交換時期を把握することができる。したがって、不具合発生時期を予測することができ、適切な時期に分離ローラ５３を交換して摩耗による搬送不良などの不具合を未然に防ぐことができる。
【００４１】
また、摩耗状態表示部７１がローラ支持部材６１の変位を表示するため、表示位置の自由度が高くなる。
【００４２】
また、分離ローラ５３と回動軸６２との距離よりも分離ローラ５３と回動軸６２とは反対側の先端部６４との距離の方が長く設定されたローラ支持部材６１の先端部６４の変位を表示するため、分離ローラ５３の移動量を増幅した先端部６４の位置で表示が可能となる。よって、分離ローラ５３の小さい摩耗状態を精度良く表示させることができる。
【００４３】
また、分離ローラ５３の支持軸７５の一端部７９を、ローラ支持部材６１の穴部９２に嵌合させてから、支持軸７５の他端部８１を保持壁部９３の傾斜面９６を乗り越えさせることで、支持軸７５をローラ支持部材６１に保持させることができる。よって、容易且つ確実に分離ローラ５３をローラ支持部材６１に取り付けることができる。
【００４４】
なお、以上の実施形態においては、分離ローラ５３の摩耗状態を直接表示する摩耗状態表示部７１を設ける場合を例にとり説明したが、ローラ支持部材６１の先端部６４の位置を検出するセンサを設けて、このセンサの検出信号に基づいて、分離ローラ５３の摩耗状態を表示部（表示手段）１３に表示しても良い。この場合、摩耗状態の表示部１３への表示として、例えば摩耗状態が交換時期となったときにアラームを発生させる等の表示が可能である。
【図面の簡単な説明】
【００４５】
【図１】本発明に係る一実施形態の搬送機構によって搬送系が構成された記録装置の前面側斜め上方から見た斜視図である。
【図２】記録装置の後部構造を示す部分側断面図である。
【図３】記録装置の要部を示すもので、（ａ）は分離ローラが新品の状態を、（ｂ）は分離ローラが摩耗した状態を示す側面図である。
【図４】記録装置の摩耗状態表示部を示す正面図である。
【図５】記録装置の分離ローラの分解斜視図である。
【図６】記録装置のローラ支持部材及び分離ローラの分解斜視図である。
【図７】記録装置のカバーから分離ローラを取り外した状態を示す斜視図である。
【符号の説明】
【００４６】
１０…手差し給紙部（収容部）、５０…用紙繰り出し搬送機構（搬送機構）、５２…搬送ローラ、５３…分離ローラ、６１…ローラ支持部材（ローラ支持部）、６２…回動軸、６４…先端部（端部）、６５…スプリング（付勢手段）、７１…摩耗状態表示部（表示手段）、７５…支持軸、７９…一端部、８１…他端部、９２…穴部、９３…保持壁部、９６…傾斜面。
【図１】
2009126587.tif 000003
【図２】
2009126587.tif 000004
【図３】
2009126587.tif 000005
【図４】
2009126587.tif 000006
【図５】
2009126587.tif 000007
【図６】
2009126587.tif 000008
【図７】
2009126587.tif 000009